【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項1】
ビデオ情報の違法コピーを阻止するための方法であって、
ａ）スケールのレンジから選択された第１のスケールを有するウォータマークを、第１の時間の期間に前記ビデオ情報に埋め込むステップと、
ｂ）第１の時間の期間又は前記期間の終了で、前記スケールのレンジから選択された別のスケールを有するウォータマークを、第２の時間の期間に前記ビデオ情報に埋め込むステップと、
ｃ）Ｎ番のスケールに到達するまで、異なるスケールを使用して前記ステップｂ）を繰り返すステップとを備え、
前記ウォータマークは、Ｎ番のスケールのうちの１つで典型的なウォータマーク検出器により検出可能な位置及びサイズに回復される、
ことを特徴とする方法。
【請求項2】
前記ビデオ情報の期間の一部又は全体を通して、前記ステップａ）から前記ステップｃ）を繰り返すステップをさらに備える、
請求項１記載の方法。
【請求項3】
前記第１のスケールを有するウォータマークは、前記ビデオ情報の期間の約１／４を通して埋め込まれ、前記別のスケールを有するウォータマークは、前記ビデオ情報の残りの期間を通して埋め込まれる、
請求項２記載の方法。
【請求項4】
所定回数について、埋め込まれたウォータマークのスケーリングにおいてそれぞれ選択されたスケールが使用されるまで、前記ステップｃ）を繰り返すステップをさらに備える、
請求項１記載の方法。
【請求項5】
それぞれのスケールは、前記ステップｂ）においてランダムに選択される、
請求項１記載の方法。
【請求項6】
前記スケールのレンジは、前記第１のスケールに関して±２０パーセントである、
請求項２記載の方法。
【請求項7】
Ｎ番のスケールは、前記スケールのレンジ、及び前記ウォータマーク検出器のウォータマーク検出解像度を使用して決定される、
請求項５記載の方法。
【請求項8】
前記第１の時間の期間は、前記ウォータマーク検出器により前記ウォータマークを検出、抽出及び処理するために要求される時間に基づく、
請求項２記載の方法。
【請求項9】
前記ビデオ情報のソースは、デジタルバーサティルディスク（ＤＶＤ）である、
請求項１記載の方法。
【請求項10】
前記ビデオ情報のソースは、ブロードキャストされるビデオ信号、ケーブル伝送されるビデオ信号又はインターネット伝送されるビデオ信号である、
請求項１記載の方法。
【請求項11】
前記第１の時間の期間は前記第２の時間の期間に実質的に等しい、
請求項１記載の方法。
【請求項12】
前記第１の時間の期間は前記第２の時間の期間と異なる、
請求項１記載の方法。
【請求項13】
コンテンツを記憶するためのレコードキャリアであって、
前記レコードキャリアは、スケールのレンジから選択された第１のスケールを有するウォータマークが、第１の時間の期間に前記レコードキャリアのコンテンツに埋め込まれ、前記第１の時間の期間又は前記期間の終了で、前記スケールのレンジから選択された別のスケールを有するウォータマークが、第２の時間の期間に前記レコードキャリアのコンテンツに埋め込まれ、異なるスケールを有する後続するウォータマークが、Ｎ番のスケールに到達するまで前記コンテンツに同様に埋め込まれるようなパターンに従いコンテンツに異なるスケールで埋め込まれるウォータマークを有し、
前記ウォータマークは、Ｎ番のスケールのうちの１つで典型的なウォータマーク検出器により検出可能な位置及びサイズに回復される、
ことを特徴とするレコードキャリア。
【請求項14】
前記埋め込まれたウォータマークパターンは、前記レコードキャリアのコンテンツの期間の一部又は全体を通して繰り返される、
請求項１３記載のレコードキャリア。
【請求項15】
前記第１のスケールを有するウォータマークは、コンテンツ期間の約１／４を通して埋め込まれ、前記別のスケールを有するウォータマークは、前記コンテンツの残りの期間を通して埋め込まれる、
請求項１４記載のレコードキャリア。
【請求項16】
所定回数について、埋め込まれたウォータマークのスケーリングにおいてそれぞれのスケールが使用されるまで、前記埋め込まれたウォータマークパターンが繰り返される、
請求項１３記載のレコードキャリア。
【請求項17】
それぞれのスケールはランダムに選択される、
請求項１３記載のレコードキャリア。
【請求項18】
前記スケールのレンジは、前記第１のスケールに関して±２０パーセントである、
請求項１４記載のレコードキャリア。
【請求項19】
前記Ｎ番のスケールは、スケールのレンジ、及び前記ウォータマーク検出器のウォータマーク検出解像度を使用して決定される、
請求項１８記載のレコードキャリア。
【請求項20】
前記第１の時間の期間は、前記ウォータマーク検出器により前記ウォータマークを検出、抽出及び処理するために要求される時間に基づく、
請求項１１記載のレコードキャリア。
【請求項21】
デジタルレコードキャリアは、デジタルバーサティルディスク（ＤＶＤ）である、
請求項１３記載のレコードキャリア。
【請求項22】
前記第１の時間の期間は、前記第２の時間の期間に実質的に等しい、
請求項１３記載のレコードキャリア。
【請求項23】
前記第１の時間の期間は、前記第２の時間の期間とは異なる、
請求項１３記載のレコードキャリア。
【請求項24】
伝播メディアに埋め込まれるビデオ情報を搬送する信号であって、
前記ビデオ情報信号は、スケールのレンジから選択された第１のスケールを有するウォータマークが、第１の時間の期間で前記ビデオ情報に埋め込まれ、前記第１の時間の期間又は前記期間の終了で、前記スケールのレンジから選択された別のスケールを有するウォータマークが、第２の時間の期間で前記ビデオ情報に埋め込まれ、異なるスケールを有する後続するウォータマークが、Ｎ番のスケールに到達するまで前記ビデオ情報に同様に埋め込まれるようなパターンに従い前記ビデオ情報に異なるスケールで埋め込まれるウォータマークを有し、
前記ウォータマークは、Ｎ番のスケールのうちの１つで典型的なウォータマーク検出器により検出可能な位置及びサイズに回復される、
ことを特徴とするビデオ情報信号。
【請求項25】
前記埋め込まれたウォータマークパターンは、前記ビデオ情報の一部又は全体を通して繰り返される、
請求項２４記載のビデオ情報信号。
【請求項26】
前記第１のスケールを有するウォータマークは、前記ビデオ情報の期間のうちの約１／４を通して埋め込まれており、前記別のスケールを有するウォータマークは、前記ビデオ情報の残りの期間を通して埋め込まれる、
請求項２５記載のビデオ情報信号。
【請求項27】
所定回数について、埋め込まれたウォータマークのスケーリングにおいてそれぞれのスケールが使用されるまで、前記埋め込まれたウォータマークパターンは繰り返される、
請求項２６記載のビデオ情報信号。
【請求項28】
それぞれのスケールはランダムに選択される、
請求項２４記載のビデオ情報信号。
【請求項29】
前記スケールのレンジは、前記第１のスケールに関して±２０パーセントである、
請求項２５記載のビデオ情報信号。
【請求項30】
前記Ｎ番のスケールは、前記スケールのレンジ及び前記ウォータマーク検出器のウォータマーク検出解像度を使用して決定される、
請求項２９記載のビデオ情報信号。
【請求項31】
前記第１の時間の期間は、前記ウォータマーク検出器によりウォータマークを検出、抽出及び処理するために要求される時間に基づく、
請求項２５記載のビデオ情報信号。
【請求項32】
前記ビデオ情報信号は、ブロードキャストされるビデオ信号、ケーブル伝送されるビデオ信号、又はインターネット伝送されるビデオ信号である、
請求項２４記載のビデオ情報信号。
【請求項33】
前記第１の時間の期間は前記第２の時間の期間に実質的に等しい、
請求項２４記載のビデオ情報信号。
【請求項34】
前記第１の時間の期間は前記第２の時間の期間とは異なる、
請求項２４記載のビデオ情報信号。
【請求項35】
ウォータマークが埋め込まれたビデオを供給する方法であって、
ビデオストリームを供給するステップと、
ウォータマークを供給するステップと、
第１の時間の期間で、第１のスケールを有するウォータマークを前記ビデオストリームに埋め込むステップと、
第２の後続する時間の期間で、別の第２のスケールにより前記ビデオストリームをスケーリングすることなしに、前記第２のスケールを有するウォータマークを前記ビデオストリームに埋め込むステップと、
第３の後続する時間の期間で、別の第３のスケールにより前記ビデオストリームをスケーリングすることなしに、前記第３のスケールを有するウォータマークを前記ビデオストリームに埋め込むステップとを含み、
埋め込まれたウォータマークによる前記ビデオストリームの再生に応じて、前記ビデオストリームのスケーリングにより、前記ビデオストリームにおける予め決定されたサイズ及び位置に回復される少なくとも１つの埋め込まれたウォータマークが得られ、前記予め決定されたサイズ及び位置で、前記ウォータマークは典型的なウォータマーク検出器により検出可能である、
ことを特徴とする方法。
【請求項36】
その後の時間の期間で前記ウォータマークを前記ビデオストリームに埋め込むステップを更に含む、
請求項３５記載の方法。
【請求項37】
前記第１のスケールを有するウォータマークは、前記ビデオストリームの期間の約１／４を通して埋め込まれ、前記別のスケールを有するウォータマークは、前記ビデオストリームの残りの期間を通して埋め込まれる、
請求項３６記載の方法。
【請求項38】
所定回数について、埋め込まれたウォータマークのスケーリングにおいてそれぞれのスケールが使用されるまで、前記埋め込むステップを繰り返すステップを更に含む、
請求項３６記載の方法。
【請求項39】
それぞれのスケールはランダムに選択される、
請求項３５記載の方法。
【請求項40】
前記第２のスケールと前記第３のスケールのレンジは、前記第１のスケールに関して±２０パーセントである、
請求項３５記載の方法。
【請求項41】
全体のスケール数を予め決定するステップを更に含む、
請求項３６記載の方法。
【請求項42】
それぞれの時間の期間は、前記ウォータマーク検出器により前記ウォータマークを検出、抽出及び処理するために要求される時間である、
請求項３５記載の方法。
【請求項43】
前記ビデオストリームのソースは、デジタルバーサティルディスク（ＤＶＤ）である、
請求項３５記載の方法。
【請求項44】
前記ビデオストリームのソースは、ブロードキャストされるビデオ信号、又はケーブル伝送されるビデオ信号である、
請求項３５記載の方法。
【請求項45】
前記第１の時間の期間は前記第２の時間の期間に実質的に等しい、
請求項３５記載の方法。
【請求項46】
前記第１の時間の期間は後続する時間の期間とは異なる、
請求項３５記載の方法。
【請求項47】
ビデオコンテンツを記憶する記録キャリアであって、
当該記録キャリアは、前記ビデオコンテンツに第１のスケールを有するウォータマークが埋め込まれ、前記ビデオコンテンツの第２の後続する時間の期間で、前記第２の時間の期間における前記ビデオコンテンツが別の第２のスケールによりスケーリングされることなしに、前記第２のスケールを有するウォータマークが埋め込まれ、前記ビデオコンテンツの第３の後続する時間の期間で、前記第２の時間の期間における前記ビデオコンテンツが別の第３のスケールによりスケーリングされることなしに、前記第３のスケールを有するウォータマークが埋め込まれるように、異なるスケールで埋め込まれるウォータマークを有し、
前記ビデオコンテンツの再生に応じて、前記ビデオコンテンツのスケーリングにより、予め決定されたサイズ及び位置に回復される少なくとも１つの埋め込まれたウォータマークが得られ、前記予め決定されたサイズ及びロケーションで、前記ウォータマークは典型的なウォータマーク検出器により検出可能である、
ことを特徴とする記録キャリア。
【請求項48】
前記第２の時間の期間において、前記ビデオ情報は前記別のスケールによりスケーリングされない、
請求項１記載の方法。
【請求項49】
前記第２の予め決定された期間で、前記ビデオコンテンツは前記別のスケールによりスケーリングされない、
請求項１３記載の記録キャリア。
【請求項50】
前記第２の予め決定された期間で、前記ビデオ情報は前記別のスケールによりスケーリングされない、
請求項２４記載のビデオ情報信号。
【請求項51】
複数のウォータマークをビデオ情報に埋め込む方法であって、
ａ）第１の時間の期間で前記ビデオ情報にスケールのレンジから選択された第１のスケールを有するウォータマークを埋め込むステップと、
ｂ）前記第１の時間の期間又は前記期間の終わりで、第２の時間の期間について前記ビデオ情報のビデオコンテンツにスケールのレンジから選択された別のスケールを有するウォータマークを埋め込むステップと、
ｃ）Ｎ番のスケールに到達するまで、異なるスケールを使用して前記ステップ（ｂ）を繰り返すステップと、
を含むことを特徴とする方法。